(57)【要約】      （修正有）【課題】逆戻り防止の伸縮式塗り書き具を提供する。【解決手段】互いに組み合わせるグリップ管１００と内管２００と套管３００とスライド４００と塗り書き部材５００とを含む逆戻り防止の伸縮式塗り書き具である。内管の管壁に対向位置にある少なくても１対の多段階式案内溝２３０が設けられ、これが複数の案内溝窓を有し、各案内溝窓が各々対向位置にある係止壁を有し、隣接の案内溝窓が段階状に排列して折れ曲がって連通する。套管の内壁に対向位置にある少なくても１対の螺旋案内チャンネル３１０が設けられる。スライドに対向位置にある少なくても１対の案内突出体４１０が設けられ、これが内管の１対の多段階式案内溝を通し、套管の螺旋案内チャンネルに突出して収納される。スライドの案内突出体はその内の１つの案内溝窓の係止壁に当接し、塗り書き部材及びスライドの意図しない逆戻りを避ける。【選択図】図４
0003184743.tif 000002
【実用新案登録請求の範囲】
【請求項１】
グリップ管と、
長手方向に沿って、前記グリップ管の内部に套合される套合部と、管壁に対向位置にある少なくても１対の案内溝が設けられる突出部と、を有する内管と、
前記内管の突出部の外部に覆設され、内壁に対向位置にある少なくても１対の螺旋案内チャンネルが設けられる套管と、
前記内管の突出部の内部に収納され、対向位置にある少なくても１対の案内突出体が設けられ、この１対の案内突出体が前記内管の前記１対の案内溝を通し、前記套管の前記１対の螺旋案内チャンネルに突出して収納されるスライドと、
前記スライドに固定される塗り書き部材と、を含む逆戻り防止の伸縮式塗り書き具において、
前記内管の１対の案内溝のそれぞれは、多段階式案内溝であり、各前記多段階式案内溝のそれぞれが、複数の案内溝窓を有し、各前記案内溝窓のそれぞれが、対向位置にある係止壁を有し、各前記案内溝窓の隣接案内溝窓が、階段状に排列して折れ曲がって連通することを特徴とする逆戻り防止の伸縮式塗り書き具。
【請求項２】
前記グリップ管と前記内管との間に連動機構が設けられる請求項１に記載の逆戻り防止の伸縮式塗り書き具。
【請求項３】
前記連動機構は、互いに噛み合う内歯形と外歯形を含み、前記内歯形が前記グリップ管の内壁に設けられ、外歯形が前記内管の套合部の外壁に設けられる請求項２に記載の逆戻り防止の伸縮式塗り書き具。
【請求項４】
前記グリップ管の端部に套合し固定されるように、前記套管の外部に覆い被される蓋体を更に含む請求項１に記載の逆戻り防止の伸縮式塗り書き具。
【考案の詳細な説明】
【技術分野】
【０００１】
本考案は、伸縮式塗り書き具に関し、特に、伸縮式塗り書き具の逆戻りを防ぐ構造に関する。
【背景技術】
【０００２】
例えば、伸縮式口紅、伸縮式彩色筆等の伸縮式塗り書き具は、螺旋による強制作動及び案内溝による位置限定の原理により、回転操作と共に直線変位する作用を有し、塗り書き具（例えば、口紅又は彩色筆）がチューブの内外で伸縮移動して、使用され又は収容されることができるようになる。
【０００３】
図１を参照されたい。従来の伸縮式塗り書き具７００は、グリップ管７１０と、内管７２０と、套管７３０と、スライド７４０と、塗り書き部材７５０と、を含む。
【０００４】
内管７２０は、その長手方向に沿って、グリップ管７１０の内部に套合される套合部７２１と、管壁に対向位置にある１対の線形の案内溝７２３が設けられる突出部７２２と、を有する。套管７３０は、内管７２０の突出部７２２の外部に覆設され、套管７３０の内壁には対向位置にある１対の螺旋案内チャンネル７３１が設けられる。スライド７４０は、内管７２０の突出部７２２の内に収納され、スライド７４０には対向位置にある１対の案内突出体７４１が設けられる。この案内突出体７４１は、内管７２０の線形の案内溝７２３を通し、套管７３０の螺旋案内チャンネル７３１に突出して収納される。塗り書き部材７５０は、スライド７４０に固定され、当該スライドに伴って一体的に移動することができる。
【０００５】
伸縮して使用する場合、使用者は、その両手でグリップ管７１０及び套管７３０を別々にグリップして、グリップ管７１０を回す。当該グリップ管は、内管７２０を一体的に連動して回転させる。内管７２０は、その線形の案内溝７２３により、スライド７４０の案内突出体７４１を強制作動させて、套管７３０の螺旋案内チャンネル７３１に沿って螺旋し回転させる。同時に、スライド７４０の案内突出体７４１は、内管７２０の線形の案内溝７２３に規制されて、当該線形の案内溝７２３の線形の経路で摺動させる。即ち、スライド７４０は、套管７３０及び内管７２０の内で螺旋し回転するのと同時に、線形に摺動して、スライド７４０に固定される塗り書き部材７５０がそれに伴って伸縮するようになる。
【０００６】
しかしながら、図１に示すように、従来の伸縮式塗り書き具は、塗り又は書いて使用する場合、逆戻りの欠点がある。即ち、例えば、紙面で書いて使用する場合、塗り書き部材７５０の紙面での書く力の反力は、当該塗り書き部材７５０及びスライド７４０に作用する。スライド７４０の案内用に合わせるための内管７２０の線形の案内溝７２３がまっすぐで線形の溝体形となり、当該線形の案内溝７２３には、書く力の反力に対して、如何なる係止構造もない。従って、書いて使用する場合の反力は、塗り書き部材７５０を強制作動して内へ縮ませやすく、塗り書き部材７５０が逆戻り、更に、使用上の不便を招く。
【０００７】
図２を参照されたい。塗り書き部材７５０を保護するために、套合用の蓋体７６０を別に用意することは一般的である。従来の伸縮式塗り書き具７００は、蓋体７６０を套管７３０の外部に套合し固定されるように覆い被せて、蓋体７６０と套管７３０が一体連動するようになる。
【０００８】
従来の伸縮式塗り書き具のような蓋体による套合構造は、誤操作の欠点がある。即ち、蓋体７６０が套管７３０に套合し固定されるように覆い合わせている状態で、使用者がその両手でグリップ管７１０及び蓋体７６０を別々にグリップして、グリップ管７１０又は蓋体７６０を不注意に回すと、グリップ管７１０と連動する内管７２０及び蓋体７６０と連動する套管７３０は、対応的に回転し動作して、上記のように、スライド７４０及びその上方の塗り書き部材７５０を強制作動して意図しない伸縮をすることになる。この場合、外部に突出した塗り書き部材７５０（例えば、口紅）は、蓋体７６０の内壁に当接し、塗り書き部材７５０が損害される。
【考案の概要】
【考案が解決しようとする課題】
【０００９】
本考案は、使用する時に、塗り書き部材の意図しない逆戻りを防ぐことができる伸縮式塗り書き具を提供する。
【課題を解決するための手段】
【００１０】
本考案の一態様は、互いに組み合わせたグリップ管と、内管と、套管と、スライドと、塗り書き部材と、を含む逆戻り防止の伸縮式塗り書き具を提供する。内管は、その長手方向に沿って、グリップ管の内部に套合される套合部と、管壁に対向位置にある少なくても１対の案内溝が設けられる突出部と、を有する。套管は、内管の突出部の外部に覆設され、内壁に対向位置にある少なくても１対の螺旋案内チャンネルが設けられる。スライドは、内管の突出部の内部に収納され、対向位置にある少なくても１対の案内突出体が設けられ、この１対の案内突出体が内管の案内溝を通し、套管の螺旋案内チャンネルに突出して収納される。塗り書き部材は、スライドに固定される。内管の１対の案内溝のそれぞれは、多段階式案内溝であり、各多段階式案内溝のそれぞれが、複数の案内溝窓を有し、各案内溝窓のそれぞれが、対向位置にある係止壁を有し、隣接の案内溝窓が、階段状に排列して折れ曲がって連通する。塗り又は書いて使用する場合に、スライドの案内突出体は、その内の１つの案内溝窓の係止壁に当接し、当該係止壁の係止により、塗り書き部材及びスライドの意図しない逆戻りを避ける。
【００１１】
本考案の一実施例によると、グリップ管と内管との間に連動機構が設けられ、内管がグリップ管に伴って一体的に回転する。
【００１２】
本考案の一実施例によると、連動機構は、互いに噛み合う内歯形と外歯形を含み、前記内歯形がグリップ管の内壁に設けられ、前記外歯形が内管の套合部の外壁に設けられる。内歯形と外歯形との噛み合いにより、グリップ管と内管は連動関係となる。
【００１３】
本考案の一実施例によると、逆戻り防止の伸縮式塗り書き具は、グリップ管の端部に套合し固定されるように、套管の外部に覆い被される蓋体を更に含む。これにより、蓋体が套管に関わらずにして、蓋体が套合状態で誤操作により、塗り書き部材が損害されることを避けることができる。
【図面の簡単な説明】
【００１４】
下記図面の説明は、本考案の前記または他の目的、特徴、メリット、実施例をより分かりやすくするためのものである。
【図１】従来の伸縮式塗り書き具を示す断面図であり、その使用模式図を表示する。
【図２】図１に示した従来の伸縮式塗り書き具のその蓋体が套合時の断面図を示し、その使用模式図を表示する。
【図３】本考案の一実施形態による逆戻り防止の伸縮式塗り書き具を示す外形図である。
【図４】図３に示した逆戻り防止の伸縮式塗り書き具を示す分解図である。
【図５】図４に示した逆戻り防止の伸縮式塗り書き具の内の内管、套管及びスライドを示す組立図である。
【図６】図５に示した内管、套管及びスライドを示す分解図である。
【図７】図６に示した内管の内のＡ部を示す拡大図である。
【図８】図３に示した逆戻り防止の伸縮式塗り書き具を示す断面図であり、その使用模式図を表示する。
【図９】図８に示した逆戻り防止の伸縮式塗り書き具の内のＢ部を示す拡大図である。
【考案を実施するための形態】
【００１５】
本考案の前記及びその他の技術的内容、特徴及び効果について、以下に図面に併せた実施例の詳細説明において、明確に示すことができる。
【００１６】
図３〜図７を参照されたい。本考案の一実施形態による逆戻り防止の伸縮式塗り書き具は、グリップ管１００と、内管２００と、套管３００と、スライド４００と、塗り書き部材５００と、を含む。内管２００の内に多段階式案内溝２３０が設けられることがその創作特徴であり、その構成については、以下で詳述する。
【００１７】
内管２００は、その長手方向に沿って、套合部２１０と突出部２２０を有する。套合部２１０は、グリップ管１００の内部に套合される。グリップ管１００と内管２００との連動関係を持たせるために、グリップ管１００と内管２００との間に連動機構１２０を設ける。連動機構１２０は、互いに噛み合う内歯形１２１と外歯形１２２を含み、前記内歯形１２１がグリップ管１００の内壁に設けられ、前記外歯形１２２が内管２００の套合部２１０の外壁に設けられる。これにより、グリップ管１００を回すと、内管２００が一体的に連動されて回転する。
【００１８】
突出部２２０の管壁に、対向位置にある１対の多段階式案内溝２３０が設けられる。各多段階式案内溝２３０のそれぞれは、複数の案内溝窓２３１を有し、各案内溝窓のそれぞれが、対向位置にある係止壁２３２を有し、隣接の案内溝窓が、階段状に排列して折れ曲がって連通する。
【００１９】
套管３００は、内管２００の突出部２２０の外部に覆設され、套管３００の内壁に対向位置にある１対の螺旋案内チャンネル３１０が設けられる。
【００２０】
スライド４００は、内管２００の突出部２２０の内部に収納され、スライド４００に対向位置にある１対の案内突出体４１０が設けられる。この１対の案内突出体４１０は、内管２００の多段階式案内溝２３０を通し、套管３００の螺旋案内チャンネル３１０に突出して収納される。
【００２１】
例えば、口紅又は彩色筆等の塗り書き部材５００は、スライド４００に固定され、当該スライドに伴って一体的に移動することができる。
【００２２】
図８及び図９を合わせて参照されたい。本考案の逆戻り防止の伸縮式塗り書き具を伸縮して使用する場合、使用者は、その両手でグリップ管１００及び套管３００を別々にグリップして、グリップ管１００を回し、当該グリップ管が内管２００を一体的に連動して回転させ、内管２００がその多段階式案内溝２３０によりスライド４００の案内突出体４１０を強制作動して、套管３００の螺旋案内チャンネル３１０に沿って螺旋し回転させるのと同時に、スライド４００の案内突出体４１０が内管２００の多段階式案内溝２３０に規制され、当該多段階式案内溝２３０の線形近似の多段階式経路で摺動する。即ち、スライド４００は、套管３００及び内管２００の内部で螺旋し回転するのと同時に、線形近似に摺動し、スライド４００に固定される塗り書き部材５００がそれに伴って伸縮し摺動するようになる。
【００２３】
塗り又は製図し書いて使用する場合に、例えば、紙面で書いて使用する場合、塗り書き部材５００の紙面での書く力の反力が塗り書き部材５００及びスライド４００に作用するけれども、スライド４００の案内用に合わせるための内管２００の多段階式案内溝２３０の各案内溝窓２３１は、何れも係止壁２３２を有し、書いて使用する場合に、スライド４００の案内突出体４１０は、その内の１つの案内溝窓２３１の係止壁２３２に当接し、当該係止壁２３２の係止により、塗り書き部材５００及びスライド４００の意図しない逆戻りを避ける。
【００２４】
書き終わってから、塗り書き部材５００及びスライド４００を本意で戻させようとする場合、グリップ管１００をわざわざ逆転させ、内管２００の多段階式案内溝２３０の係止壁２３２の、スライド４００の案内突出体４１０に対する線形係止を解除する上で、塗り書き部材５００及びスライド４００を内管２００の内部に戻させることができる。
【００２５】
図３及び図４を参照されたい。本考案の一実施形態による逆戻り防止の伸縮式塗り書き具１０は、塗り書き部材５００を保護するための蓋体６００を更に含む。蓋体６００は、グリップ管１００の端部１１０に套合し固定されるように、套管３００の外部に覆い被され、即ち、套管３００と結合関係にならない。従って、蓋体６００が套管３００に覆い合わせられる状態で、使用者は、その両手でグリップ管１００及び蓋体６００を別々にグリップして、グリップ管１００又は蓋体６００を不注意に回す場合でも、グリップ管１００及び蓋体６００のみがそれ自体で空回りするが、套管３００に対して相対的に回転することはないため、スライド４００及び塗り書き部材５００を連動して外部に突出させることなく、突出した塗り書き部材５００が蓋体６００の内壁に当接して損害されることが避けられる。
【００２６】
本考案の一実施形態による逆戻り防止の伸縮式塗り書き具１０は、その内管２００に設けられる多段階式案内溝２３０により、塗り書き部材の使用する時の逆戻りの現象を防ぐことができる。また、蓋体６００とグリップ管１００との結合関係により、蓋体６００が套管３００に関わらずにして、蓋体６００が套合状態で誤操作により、塗り書き部材５００が損害されることを避けることができる。
【００２７】
本考案では実施形態を前述の通りに開示したが、これは本考案を限定するものではなく、当業者であれば、本考案の精神と領域から逸脱しない限り、多様の変更や修正を加えることができる。従って本考案の保護範囲は、実用新案登録請求の範囲で指定した内容を基準とする。
【符号の説明】
【００２８】
１０：逆戻り防止の伸縮式塗り書き具、
１００：グリップ管、
１１０：端部、
１２０：連動機構、
１２１：内歯形、
１２２：外歯形、
２００：内管、
２１０：套合部、
２２０：突出部、
２３０：多段階式案内溝、
２３１：案内溝窓、
２３２：係止壁、
３００：套管、
３１０：螺旋案内チャンネル、
４００：スライド、
４１０：案内突出体、
５００：塗り書き部材、
６００：蓋体。
【図１】
0003184743.tif 000003
【図２】
0003184743.tif 000004
【図３】
0003184743.tif 000005
【図４】
0003184743.tif 000006
【図５】
0003184743.tif 000007
【図６】
0003184743.tif 000008
【図７】
0003184743.tif 000009
【図８】
0003184743.tif 000010
【図９】
0003184743.tif 000011